(57)【要約】【課題】  縦板の板厚を薄くしかつ破損しにくいパチンコ機の外枠を提供する。【解決手段】  左右の縦板３，４と、左右の縦板３，４の上端部間に接合される天板５と、左右の縦板３，４の下端部間に接合される地板６とを有し、左右の縦板３，４の前面と天板５の前面とが面一とされ、これら面一とされた前面の前側に前枠が開閉可能に設置されるパチンコ機の外枠２であって、右の縦板４は、縦板４の後寄りの厚みよりも厚みの薄い薄板部（４ｂ２，４Ｃ１）を前寄りに有している。そしてその薄板部の前面が金属製または樹脂製とされている。【選択図】        図３
2006204600.tif 000002
【特許請求の範囲】
【請求項１】
左右の縦板と、前記左右の縦板の上端部間に接合される天板と、前記左右の縦板の下端部間に接合される地板とを有し、前記左右の縦板の前面と前記天板の前面とが面一とされ、これら面一とされた前面の前側に前枠が開閉可能に設置されるパチンコ機の外枠であって、
前記左右の縦板の少なくとも一方の縦板は、該縦板の後寄りの厚みよりも厚みの薄い薄板部を前寄りに有しており、その薄板部の少なくとも前面の一部が金属製または樹脂製とされていることを特徴とするパチンコ機の外枠。
【請求項２】
請求項１に記載のパチンコ機の外枠であって、
薄板部は、前寄り位置に凹部を有し、その凹部に金属製または樹脂製の補強部が嵌め込まれていることを特徴とするパチンコ機の外枠。
【発明の詳細な説明】
【技術分野】
【０００１】
本発明は、パチンコ機の外枠に係り、詳しくは外枠の左右に位置する縦板を改善したパチンコ機の外枠に関する。
【背景技術】
【０００２】
パチンコ機の外枠は、パチンコホールの遊技島に組付けられる基枠であって、通常木製の板材から形成されている（特許文献１参照）。外枠は、左右の縦板と、左右の縦板の上端部間に接合される天板と、左右の縦板の下端部間に接合される地板とを有して矩形状に枠組みされている。左右の縦板の前面と天板の前面は、面一とされており、これら面一とされた前面の前側に遊技盤が固着された前枠が開閉可能に設置される。
前枠には、遊技盤の他にも様々な部品が複数取付けられる。そして近年、前枠の裏側に配設される部品（例えば遊技盤の裏側の部品）が大型化される傾向にある。これら部品は、外枠の内側に配設されるが、外枠は、外形寸法が規格化されており、大きくすることができない。そのため縦板の板厚を薄くすることによって外枠の内径寸法を大きくすることが考えられる。しかし縦板の板厚を薄くすると、破損しやすくなるという問題が生じる。例えば、外枠を積み重ねて運搬する際には、縦板の位置において外枠を積み重ねる（図５参照）。そのため縦板に圧力が加わり、縦板が破損あるいは傷付いてしまう。
【０００３】
従来、特許文献２に記載の外枠も開示されている。この外枠は、外形寸法の大きい関西タイプの前枠に代えて、外形寸法の小さい関東タイプの前枠を外枠に取付けるために棒状部材を有している。棒状部材は、関東タイプの前枠を取付けた際に生じる前枠の横の隙間を埋めるために、前枠の横に配設され、かつ縦板の前面に取付けられる。
一方、本発明にかかる外枠は、特許文献２にかかる外枠とは構成が大きく異なっている。すなわち縦板の前面と天板の前面の前側に前枠が配設され、その縦板の一部が改善されている。すなわち前枠の横に配設される部材などの改良ではなく、課題や目的も特許文献２とは大きく異なっている。
【特許文献１】特開２００４−２４７１２号公報
【特許文献２】特開平９−１２２３２８号公報
【発明の開示】
【発明が解決しようとする課題】
【０００４】
本発明は、左右の縦板の前面と天板の前面とが面一とされ、これら面一とされた前面の前側に前枠が開閉可能に設置されるパチンコ機の外枠において、縦板の板厚を薄くしかつ破損しにくいパチンコ機の外枠を提供することを課題とする。
【課題を解決するための手段】
【０００５】
前記課題を解決するために本発明は、各請求項に記載の通りの構成を備えるパチンコ機の外枠であることを特徴とする。
請求項１に記載の発明によると、左右の縦板の少なくとも一方の縦板は、該縦板の後寄りの厚みよりも厚みの薄い薄板部を前寄りに有している。そしてその薄板部の少なくとも前面の一部が金属製または樹脂製とされている。
また請求項２に記載の発明によると、薄板部は、前寄り位置に凹部を有し、その凹部に金属製または樹脂製の補強部が嵌め込まれている。
【発明の効果】
【０００６】
したがって請求項１に記載の発明によれば、縦板に薄板部を設けることによって、外枠の内径寸法を大きくすることができる。その結果、外枠は、前枠の裏側に配設される部品の大型化に対応し得る。
しかも薄板部は、金属製または樹脂製の前面を有している。そのため薄板部の破損が抑制され得る。そして薄板部の厚みをより一層、薄くすることができる。
また請求項２に記載の発明によれば、金属製または樹脂製の前面が補強部によって安定良くかつ容易に薄板部に形成され得る。
【発明を実施するための最良の形態】
【０００７】
（実施の形態１）
以下に、本発明の実施の形態１を図１〜５にしたがって説明する。
パチンコ機１は、図１に示すように遊技島に固定される外枠２と、外枠２に回動可能に取付けられる前枠１０を有している。
外枠２は、左右の縦板３，４と、左右の縦板３，４の上端部間に接合される天板５と、左右の縦板３，４の下端部間に接合される地板６とを有し、縦長の矩形状に枠組みされている。外枠２の前面下部には、幕板７が設けられている。そして右の縦板４は、金属製の補強部４ｃを有して構成されている。
【０００８】
左の縦板３、天板５、地板６および幕板７は、木製の板材から形成されており、右の縦板４は、補強部４ｃを除いた部分が木製の板材から形成されている。
左右の縦板３，４の前面３ａ，４ａと、天板５の前面５ａは、面一とされており、これら前面３ａ，４ａ，５ａの前側に前枠１０が配設される構成になっている。
【０００９】
前枠１０は、図１に示すように一端が一対のヒンジ１１を介して外枠２の左の縦板３に取付けられ、左右の縦板３，４と天板５の前側にて開閉される。
前枠１０は、板状であって中央に開口窓１０ａを有している。図２に示すように前枠１０には、遊技盤１３や機構装置や部品類が取付けられる。これら遊技盤１３や部品類の一部は、前枠１０の裏面に張出している。あるいは前枠１０の裏面側に取付けられている。
【００１０】
前枠１０の裏面には、図１に示すように前枠１０を外枠２に対して施錠する施錠装置１２が右寄り位置（図１の左寄り位置）に取付けられている。
施錠装置１２は、一対の鉤部１２ａと、一対の鉤部１２ａを連結する連結杆１２ｂとを有しており、鍵を回すことによって連結杆１２ｂが上下にスライドし、一対の鉤部１２ａが上下に傾動する。
一方、縦板４の内側面には、図３（Ａ）に示すように鉤部１２ａが係脱可能に掛け止められる一対の鉤受部８が取付けられている。
【００１１】
右の縦板４は、図３（Ａ）に示すように木製の縦板本体部４ｂと、縦板本体部４ｂの前側に取付けられる金属製の補強部４ｃを有している。
縦板本体部４ｂは、前寄りの内側部を切り欠くことで形成された第一の薄板部４ｂ１と、第一の薄板部４ｂ１の前寄り内側部を切り欠くことで形成された第二の薄板部４ｂ２と、縦板本体部４ｂの前面に形成された平坦面４ｂ３とを有している。これら第一の薄板部４ｂ１と第二の薄板部４ｂ２は、縦板本体部４ｂの前寄りに形成されており、縦板本体部４ｂの後寄りの厚みよりも厚みが薄い。
【００１２】
補強部４ｃは、図３（Ａ）に示すように天板５と幕板７の間で延出する立設部４ｃ１と、立設部４ｃ１から左側へ張出す複数の取付部４ｃ２を一体に有している。
図３（Ｂ）に示すように補強部４ｃは、取付部４ｃ２が平坦面４ｂ３にねじ止めされことによって縦板本体部４ｂに固着される。
立設部４ｃ１は、図３（Ｃ）に示すように前後方向に立設され、第二の薄板部４ｂ２と同じ板厚を有している。したがって立設部４ｃ１は、第二の薄板部４ｂ２とともに縦板４の薄板部を形成し、薄板部の前面側を構成する。
立設部４ｃ１の先端面は、縦板４の前面４ａを構成し、図３（Ｂ）に示すように天板５の前面５ａと左の縦板３の前面３ａと面一になっている。
【００１３】
以上のようにして外枠２が形成されている。
すなわち右の縦板４は、図３（Ｃ）に示すように縦板４の後寄りの厚みよりも厚みの薄い薄板部（４ｂ２，４ｃ１）を前寄りに有している。そしてその薄板部の前面が金属製とされている。
したがって外枠２は、縦板４に薄板部（４ｂ２，４ｃ１）を設けることによって、外枠の内径寸法を大きくすることができる。その結果、外枠２は、前枠の裏側に配設される部品の大型化に対応し得る。
例えば、図４（Ａ）に示すように前枠１０の裏面に取付けられる施錠装置１２は、連結杆１２ｂ等を有しているが、これらを図４（Ｂ）に示す従来の位置よりも外寄り位置に設けることができる。これは、外枠２の縦板４に薄板部が設けられているためである（図３（Ｂ）参照）。その結果、前枠１０の裏側には、従前よりも大きな部品が取付けられ得る。
【００１４】
また薄板部（４ｂ２，４ｃ１）は、金属製の前面を有している。そのため薄板部（４ｂ２，４ｃ１）の破損も抑制され得る。
例えば、図５に示すように外枠２は、運搬等の際に積み重ねられ、一般に縦板３，４の位置において積み重ねられる。そのため縦板３，４に圧力が加わるものの、縦板４の薄板部は、金属製の前面を有している。そのため薄板部が破損あるいは傷付いてしまうことが抑制され得る。
かくして縦板４は、補強部４ｃを有するために、薄板部の厚みを薄くすることができる。例えば、縦板４の後寄りの厚みを１９ｍｍ程度にし、薄板部（４ｂ２，４ｃ１）の厚さを３〜５ｍｍにすることができる。
【００１５】
（実施の形態２）
実施の形態２を図６にしたがって説明する。
実施の形態２は、実施の形態１とほぼ同様に形成されているが、図３に示す右の縦板４に代えて図６に示す縦板１４を有している。以下、相違点を中心に実施の形態２について説明する。
【００１６】
縦板１４は、図６（Ａ）に示すように木製の縦板本体部１４ｂと、縦板本体部１４ｂの前側に取付けられる金属製の補強部１４ｃを有している。
縦板本体部１４ｂは、厚さが等しい一枚板状に形成されており、前面に平坦面１４ｂ１を有している。そして縦板本体部１４ｂの内側面に一対の鉤受部８が取付けられている。
補強部１４ｃは、天板５と幕板７の間で延出する立設部１４ｃ１と、立設部１４ｃ１から左側へ張出す複数の取付部１４ｃ２を一体に有している。
【００１７】
補強部１４ｃは、図６（Ｂ）に示すように取付部１４ｃ２が平坦面１４ｂ１にねじ止めされることによって縦板本体部１４ｂに固着される。
立設部１４ｃ１は、図６（Ｃ）に示すように縦板本体部１４ｂの外縁において前後方向に立設され、縦板本体部１４ｂよりも板厚が薄い。したがって立設部１４ｃ１は、縦板１４の前寄り位置において後寄りよりも厚みの薄い薄板部を形成する。
【００１８】
立設部１４ｃ１の先端面は、縦板１４の前面１４ａを構成し、図６（Ｂ）に示すように天板５の前面５ａと左の縦板３の前面３ａと面一になっている。
したがって右の縦板１４は、図６（Ｃ）に示すように縦板１４の後寄りの厚みよりも厚みの薄い薄板部（１４ｃ１）を前寄りに有している。そしてその薄板部の全て（前面を含む全て）が金属製になっている。
【００１９】
（実施の形態３）
実施の形態３を図７にしたがって説明する。
実施の形態３は、実施の形態１とほぼ同様に形成されているが、図３に示す右の縦板４に代えて図７に示す縦板２４を有している。以下、相違点を中心に実施の形態３について説明する。
【００２０】
縦板２４は、図７（Ａ）に示すように木製の縦板本体部２４ｂと、縦板本体部２４ｂの前側に取付けられる金属製の複数（例えば二つ）の補強部２４ｃを有している。
縦板本体部２４ｂは、前寄りの内側部を切り欠くことで形成された第一の薄板部２４ｂ１と、第一の薄板部２４ｂ１の前寄り内側部を切り欠くことで形成された第二の薄板部２４ｂ２を有している。
縦板本体部２４ｂの前面には、後方へ凹設された複数（例えば二つ）の凹部２４ｂ３が形成されている。
【００２１】
補強部２４ｃは、縦方向に延出しており、補強部２４ｃの後面には、図７（Ｃ）に示すように後側に突出する取付部２４ｃ１が形成されている。
補強部２４ｃは、取付部２４ｃ１が凹部２４ｂ３の底面に圧着されることで縦板本体部２４ｂに固着され、凹部２４ｂ３内に嵌め込まれる。
補強部２４ｃは、凹部２４ｂ３の深さとほぼ同じ高さ、ほぼ同じ幅を有している。したがって補強部２４ｃは、第二の薄板部２４ｂ２とともに薄板部を形成し、薄板部の前面の一部を構成する。
また縦板２４の前面２４ａは、図７（Ｂ）に示すように天板５の前面５ａと左の縦板３の前面３ａと面一になっている。
【００２２】
以上のようにして外枠２が形成されている。
すなわち右の縦板４は、図７（Ｃ）に示すように縦板４の後寄りの厚みよりも厚みの薄い薄板部（２４ｂ２，２４ｃ）を前寄りに有しており、その薄板部（２４ｂ２，２４ｃ）の前面が金属製になっている。
また薄板部２４ｂ２は、前寄り位置に凹部２４ｂ３を有しており、その凹部２４ｂ３に補強部２４ｃが嵌め込まれている。したがって補強部２４ｃは、安定良くかつ容易に薄板部２４ｂ２に取付けられ得る。
【００２３】
（実施の形態４）
実施の形態４を図８にしたがって説明する。
実施の形態４は、実施の形態１とほぼ同様に形成されているが、図３に示す右の縦板４に代えて図８に示す縦板３４を有している。以下、相違点を中心に実施の形態４について説明する。
【００２４】
縦板３４は、図８（Ａ）に示すように木製の縦板本体部３４ｂと、縦板本体部３４ｂの前側に取付けられる金属製の複数（例えば二つ）の補強部３４ｃを有している。
縦板本体部３４ｂは、前寄りの内側部を切り欠くことで形成された第一の薄板部３４ｂ１と、第一の薄板部３４ｂ１の前寄り内側部を切り欠くことで形成された第二の薄板部３４ｂ２と、縦板本体部３４ｂの前面に形成された平坦面３４ｂ３とを有している。
【００２５】
第一の薄板部３４ｂ１と第二の薄板部３４ｂ２は、縦板本体部３４ｂの前寄りに形成されており、縦板本体部４ｂの後寄りの厚みよりも厚みが薄い。そして第二の薄板部３４ｂ２は、図８（Ｂ）に示すように縦板本体部３４ｂの右端縁に形成されており、縦板本体部３４ｂのうちで最も前側に張出す。
【００２６】
補強部３４ｃは、図８（Ｃ）に示すように金属板を曲げ加工して形成された前面保護部３４ｃ１と側面保護部３４ｃ３と複数（例えば二つ）の取付部３４ｃ２とを一体に有している。
補強部３４ｃは、取付部３４ｃ２が平坦面３４ｂ３にねじ止めされることによって縦板本体部３４ｂに固着される。
【００２７】
側面保護部３４ｃ３は、第二の薄板部３４ｂ２の内側面を覆うことで、第二の薄板部３４ｂ２の内側面を保護する。
前面保護部３４ｃ１は、第二の薄板部３４ｂ２の前面を覆うことで、第二の薄板部３４ｂ２の前面を保護（補強）する。そして前面保護部３４ｃ１は、第二の薄板部３４ｂ２とともに薄板部を形成し、その薄板部の前面の一部を構成する。
また縦板３４の前面３４ａは、図８（Ｂ）に示すように天板５の前面５ａと左の縦板３の前面３ａと面一になっている。
【００２８】
（他の実施の形態）
本発明は、上記の実施の形態に限定されず、以下の形態であってもよい。
（１）すなわち上記実施の形態に係る補強部は、金属製であった。しかし補強部が樹脂製などであって、木材よりも強度の強い材質で成形される形態であっても良い。
（２）上記の実施の形態に係る外枠は、右の縦板に薄板部が設けられていた。しかし左の縦板に薄板部が設けられる形態、あるいは左右両方の縦板に薄板部が設けられる形態であっても良い。
（３）実施の形態１，３，４に係る縦板本体部は、第一の薄板部と第二の薄板部を有する形態であった。しかし縦板本体部が第一の薄板部を有さず、第二の薄板部のみを有する形態であっても良い。
【図面の簡単な説明】
【００２９】
【図１】前枠を外枠に対して開いた位置にした際の実施の形態１に係る外枠と前枠の斜視図である。
【図２】実施の形態１に係るパチンコ機の正面図である。
【図３】補強部を取外した状態の実施の形態１に係る外枠の斜視図（Ａ）と、補強部を取付けた状態の斜視図（Ｂ）と、図３（Ｂ）のＡ−Ａ線断面矢視図（Ｃ）である。
【図４】実施の形態１に係る前板の背面図（Ａ）と、従来の前板の背面図（Ｂ）である。
【図５】実施の形態１に係る外枠を積んだ状態の斜視図である。
【図６】補強部を取外した状態の実施の形態２に係る外枠の斜視図（Ａ）と、補強部を取付けた状態の斜視図（Ｂ）と、図６（Ｂ）のＢ−Ｂ線断面矢視図（Ｃ）である。
【図７】補強部を取外した状態の実施の形態３に係る外枠の斜視図（Ａ）と、補強部を取付けた状態の斜視図（Ｂ）と、図７（Ｂ）のＣ−Ｃ線断面矢視図（Ｃ）である。
【図８】補強部を取外した状態の実施の形態４に係る外枠の斜視図（Ａ）と、補強部を取付けた状態の斜視図（Ｂ）と、図８（Ｂ）のＤ−Ｄ線断面矢視図（Ｃ）である。
【符号の説明】
【００３０】
１…パチンコ機
２…外枠
３，４，１４，２４，３４…縦板
３ａ，４ａ，５ａ，１４ａ，２４ａ，３４ａ…前面
４ｂ，１４ｂ，２４ｂ，３４ｂ…縦板本体部
４ｂ１，４ｂ２，２４ｂ１，２４ｂ２，３４ｂ１，３４ｂ２…薄板部
４ｃ，１４ｃ，３４ｃ…補強部
２４ｃ…補強部（薄板部）
４ｃ１，１４ｃ１…立設部（薄板部）
５…天板
６…地板
７…幕板
１０…前枠
１２…施錠装置
１３…遊技盤
２４ｂ３…凹部
【図１】
2006204600.tif 000003
【図２】
2006204600.tif 000004
【図３】
2006204600.tif 000005
【図４】
2006204600.tif 000006
【図５】
2006204600.tif 000007
【図６】
2006204600.tif 000008
【図７】
2006204600.tif 000009
【図８】
2006204600.tif 000010